(57)【特許請求の範囲】
【請求項１】
ドア本体を備えるドアであって、
前記ドア本体が、平面視で少なくとも下側の第１領域及び上側の第２領域を含む複数の領域に分割して形成され、かつ
前記複数の領域間の境界に接合構造を備え、
上記接合構造がダボと、このダボが挿入されるダボ穴とを有し、
上記接合構造が、上記第１領域の上端面のさねと、上記第２領域の下端面のさね溝とを含むことを特徴とするドア。
【請求項２】
ドア本体を備えるドアであって、
前記ドア本体が、平面視で複数の領域に分割して形成され、かつ
前記複数の領域間の境界に接合構造を備え、
ドア枠に取り付けるための蝶番をさらに備え、
前記蝶番が、
隣接する前記領域の一方に固定される第１ドア側ヒンジプレートと、
隣接する前記領域の他方に固定される第２ドア側ヒンジプレートと、
前記ドア枠に固定されるドア枠側ヒンジプレートと、
前記第１ドア側ヒンジプレート、第２ドア側ヒンジプレート及びドア枠側ヒンジプレートを連結する１本のヒンジピンと
を有することを特徴とするドア。
【請求項３】
ドア本体を備えるドアであって、
前記ドア本体が、平面視で複数の領域に分割して形成され、かつ
前記複数の領域間の境界に接合構造を備え、
前記ドア本体の上下端面がテーパー面を有することを特徴とするドア。
【請求項４】
上記複数の領域それぞれにおける上記接合構造が、上端面にさねと、下端面に上記さねを受け入れるさね溝とを有し、上記ダボが上記さねから突出し、上記ダボ穴が上記さね溝に形成される請求項１に記載のドア。
【請求項５】
ドア本体を備えるドアであって、
前記ドア本体が、平面視で複数の領域に分割して形成され、かつ
前記複数の領域間の境界に接合構造を備え、
前記複数の領域が、互いに接合可能な階段形状で分割して形成されることを特徴とするドア。
【請求項６】
前記接合構造が隣接する領域の間を封止するパッキンを有する請求項１から請求項５のいずれか１項に記載のドア。
【請求項７】
請求項１から請求項６のいずれか１項に記載のドアと、このドアが取り付けられるドア枠と、このドア枠が取り付けられる開口を有するパネル本体とを備えるドアパネル。
【請求項８】
請求項７に記載のドアパネルと、このドアパネル以外の壁面を構成する複数の遮音パネルとを有する組立式防音室。
【請求項９】
請求項１から請求項６のいずれか１項に記載のドアと、このドア以外の壁面を構成する複数の遮音パネルとを有する組立式防音室。
【発明の詳細な説明】
【技術分野】
【０００１】
本発明は、ドア、ドアパネル及び組立式防音室に関する。
【背景技術】
【０００２】
防音機能を有しない既存の建物の内部に組立式防音室を設置して、例えば楽器演奏、カラオケ歌唱、映画鑑賞等を可能にしたいとの需要がある。例えば特開２００８−２６７１１４号公報には、業者以外の個人等のエンドユーザーが設置することができる防音室として、遮音パネルを壁材とする組立式防音室が提案されている。
【０００３】
前記公報に記載の防音室では、壁の一部をドアが取り付けられたドアパネルで構成している。一般的に、パネルの遮音性能を高めるためには質量を大きくする必要があることが「質量則」として知られている。
【０００４】
具体的には、垂直入射条件での単層壁における音波の透過損失ＴＬ０［ｄＢ］は、音波の周波数ｆ［Ｈｚ］と単層壁の面密度ｍ［ｋｇ／ｍ２］とを用いて、次の式（１）によって表すことができる。
ＴＬ０≒２０・ｌｏｇ（ｆ・ｍ）−４２．５  ・・・（１）
【０００５】
このため、透過損失ＴＬ０を比較的大きくする必要がある防音室用のドアは、かなりの重さを有するものとなる。従って、ドアパネルの取り付けは、不慣れなエンドユーザーにとってはかなりの重労働であり、容易な作業ではない。
【先行技術文献】
【特許文献】
【０００６】
【特許文献１】特開２００８−２６７１１４号公報
【発明の概要】
【発明が解決しようとする課題】
【０００７】
前記不都合に鑑みて、本発明は、ドアを使用するために取り付けるまでの取り扱いが比較的容易なドア、ドアパネル及び組立式防音室を提供することを課題とする。
【課題を解決するための手段】
【０００８】
前記課題を解決するためになされた発明は、ドア本体を備えるドアであって、前記ドア本体が、平面視で複数の領域に分割して形成され、かつ前記複数の領域間の接合構造を備えることを特徴とするドアである。
【０００９】
当該ドアは、前記ドア本体が平面視で複数の領域にして形成されていることによって、各領域が比較的軽量であり、例えば搬送及び組立等のドアを使用するために取り付けるまでの取り扱いが容易である。また、当該ドアは、複数の領域間の接合構造を備えることによって、比較的容易に１枚のドア本体を組み立てることができる。
【００１０】
当該ドアは、ドア枠に取り付けるための蝶番をさらに備え、前記蝶番が、隣接する前記領域の一方に固定される第１ドア側ヒンジプレートと、隣接する前記領域の他方に固定される第２ドア側ヒンジプレートと、前記ドア枠に固定されるドア枠側ヒンジプレートと、前記第１ドア側ヒンジプレート、第２ドア側ヒンジプレート及びドア枠側ヒンジプレートを連結する１本のヒンジピンとを有するとよい。
【００１１】
当該ドアにおいて、前記接合構造が隣接する領域の間を封止するパッキンを有するとよい。
【００１２】
本発明に係るドアパネルは、当該ドアとこのドアが取り付けられるドア枠とを備える。
【００１３】
本発明に係る組立式防音室は、当該ドアパネルと、このドアパネル以外の壁面を構成する複数の遮音パネルとを有する。
【００１４】
本発明に係る別の組立式防音室は、当該ドアと、このドア以外の壁面を構成する複数の遮音パネルとを有する。
【発明の効果】
【００１５】
本発明のドア、ドアパネル及び組立式防音室は、ドアを使用するために取り付けるまでの取り扱いが比較的容易である。
【図面の簡単な説明】
【００１６】
【図１】本発明の一実施形態の組立式防音室を示す模式的分解斜視図である。
【図２】図１のドアパネルの模式的正面図である。
【図３】図２のドアパネルにおけるドアの模式的部分断面図である。
【図４】図２のドアパネルにおけるドアのドア枠への取り付け構造を示す模式的分解斜視図である。
【図５】本発明の図２とは異なるドアパネルの模式的正面図である。
【発明を実施するための形態】
【００１７】
以下、適宜図面を参照しつつ、本発明の実施の形態を詳説する。
【００１８】
［第一実施形態］
図１に、本発明の一つの実施形態に係る組立式防音室の構成を示す。
【００１９】
図１の組立式防音室は、複数のパネルを箱状に組み立てて構成される。具体的には、当該組立式防音室は、壁面の一部を構成するドアパネル１と、このドアパネル１以外の壁面を構成する複数の壁遮音パネル２と、床面を構成する１又は複数（図示する例では２枚）の床遮音パネル３と、天井を構成する１又は複数（図示する例では２枚）の天井遮音パネル４とを備える。
【００２０】
〔ドアパネル〕
ドアパネル１は、それ自体が本発明の一つの実施形態である。当該ドアパネル１は、図２に示すように、ドア５と、このドア５が取り付けられるドア枠６と、このドア枠６が取り付けられる開口を有するパネル本体７とを備える。また、ドアパネル１は、ドア５とドア枠６との隙間を封止するシール部材（不図示）をさらに備えてもよい。
【００２１】
＜ドア＞
ドア５は、それ自体が本発明の一つの実施形態である。当該ドア５は、図示するように、長方形板状のドア本体８を備える。また、当該ドア５は、ドア本体８に取り付けられるドアレバーユニット９と、ドア枠６に取り付けるための第１蝶番１０、第２蝶番１１及び第３蝶番１２とを備える。
【００２２】
（ドア本体）
ドア本体８は、平面視（板面に垂直な方向視）で複数の領域に分割して形成される。より詳しくは、ドア本体８は、下側の平面視矩形状の第１領域１３と上側の平面視矩形状の第２領域１４とに分割可能に構成されている。
【００２３】
このように、当該ドア５は、ドア本体８が第１領域１３と第２領域１４とに分割して形成されることによって、当該ドア５は、ドア枠６に組み付けるまでは、それぞれ重量が従来のドアの約半分である第１領域１３と第２領域１４とを別々に持ち運べばよい。従って、当該ドア５は、ドアパネル１に組み立てるまで、つまり、当該組立式防音室に組み付けるまでの取り扱いが比較的容易である。これにより、当該ドア５は、一般のユーザーが自身で組み立てることが比較的容易である。
【００２４】
また、当該ドア５は、ドア本体８が第１領域１３と第２領域１４とに分割して形成されることによって、比較的小さく梱包することができる。このため、一般のユーザーが当該ドア５を購入する場合、当該ドア５を乗用車等に積み込んで持ち帰ることができる。
【００２５】
図３に示すように、ドア本体８、つまり第１領域１３及び第２領域１４は、方形枠状に組み立てられる骨材１５と、この骨材１５が形成する枠体を挟み込むよう表裏に配設される一対の面板１６と、骨材１５及び面板１６に囲まれるスペースに充填される吸音材１７とを備えるものとすることができる。
【００２６】
《骨材》
前記骨材１５としては、例えば角パイプ、リップ溝形材（Ｃ形チャンネル）、棒材等を用いることができ、また、例えば等断面の押出材、長尺のプレス材等を用いてもよい。また、このような骨材１５の材質としては、例えば樹脂、木、鋼、ステンレス鋼、アルミニウム等を挙げることができる。
【００２７】
《面板》
前記面板１６としては、例えば鋼板、アルミニウム板、石膏ボード、ケイ酸カルシウム板、合板、ＭＤＦ（中密度繊維板：ｍｅｄｉｕｍ  ｄｅｎｓｉｔｙ  ｆｉｂｅｒｂｏａｒｄ）、パーティクルボード等を用いることができる。
【００２８】
《吸音材》
前記吸音材１７としては、例えばグラスウール、ロックウール、セラミックウール等を用いることができる。
【００２９】
また、ドア本体８は、第１領域１３及び第２領域１４間の接合構造１８を有する。
【００３０】
《接合構造》
接合構造１８は、下側の第１領域１３の上端面にさね１９を設け、上側の第２領域１４の下端面にさね１９を受け入れるさね溝２０を設けた構造とすることができる。このように接合構造１８を有することで、当該ドア５は、比較的容易かつ確実に１枚のドア本体８を組み立てることができると共に、組立状態で開閉する際にドア本体８の一体性を保持することができる。
【００３１】
この接合構造１８のさね１９及びさね溝２０は、図示するように、第１領域１３及び第２領域１４の互いに対向し合う骨材１５の対向面の形状を凸状及び凹状とすることによって形成することが好ましい。さらに、さね１９及びさね溝２０の断面形状を台形状とすれば、上側の第２領域１４の重さによって、さね１９の両側面（断面形状における台形の脚）とさね溝２０の両側面とを密着させて、下側の第１領域１３と上側の第２領域１４との隙間を封止することができる。
【００３２】
接合構造１８は、第１領域１３と第２領域１４との間を封止するパッキン２１をさらに有することが好ましい。パッキン２１は、ドア本体８の厚さ方向両側の面板１６の近傍にそれぞれ配設されることが好ましい。このように、当該ドア５は、パッキン２１を有することによって、気密性及び遮音性が向上する。また、さね１９又はさね溝２０に比較的薄いパッキンを貼り付けることでも、気密性及び遮音性を向上することができる。
【００３３】
パッキン２１としては、例えばゴム、スポンジ等の弾性を有する材料が用いられる。
【００３４】
また、接合構造１８は、ダボ２２を有してもよい。このダボ２２は、好ましくは、さね１９から突出するように配設される。具体的には、さね１９の先端面及びさね溝２０の奧面にダボ２２を挿入するダボ穴２３を設けるとよい。
【００３５】
ダボ２２の形状としては、特に限定されないが、取り付け時に向きが問われない丸棒状とすることが好ましい。また、ダボ２２の材質としては、剛性を有するものであればよく、例えば木、金属、樹脂等を挙げることができる。
【００３６】
また、ドア本体８は、図示するように、窓２４を有してもよい。窓２４は、特に上側の第２領域１４に設けることが好ましい。この窓２４は、遮音性を向上するために、間隔を空けて保持される２枚のガラス２５を有する二重窓とすることが好ましい。
【００３７】
（レバーユニット）
当該ドア５において、ドアレバーユニット９は、下側の第１領域１３の上縁と側縁との角の近傍に配設するとよい。このドアレバーユニット９としては、ドア５をドア枠６に係止するラッチ機構を備える公知のユニットを用いることができる。
【００３８】
＜ドア枠＞
ドア枠６は、パネル本体７に形成される方形の開口の内縁に、好ましくは気密に固定される。なお、ドア枠６が取り付けられるパネル本体７の開口は、平面方向に一方が開放された切欠き状であってもよいが、パネル本体７の強度及びドア枠６の取り付け性の観点から、四方いずれの方向にも開放されない方形穴状であることが好ましい。
【００３９】
＜蝶番＞
当該ドアパネル１において、第１蝶番１０、第２蝶番１１及び第３蝶番１２は、ドア本体８のドアレバーユニット９が配設されるのと反対側の側縁をドア枠６に接続するよう配設される。
【００４０】
より詳しくは、第１蝶番１０は、ドア本体８の側縁の下部、具体的には第１領域１３の側縁の下部に配設される。第２蝶番１１は、ドア本体８の側縁の中央部、具体的には第１領域１３の側縁と第２領域１４の側縁とに跨がるよう配設される。第３蝶番１２は、ドア本体８の側縁の上部、具体的には第２領域１４の側縁の上部に配設される。
【００４１】
第１蝶番１０及び第３蝶番１２としては、一般的なドア用蝶番を用いることができる。
【００４２】
一方、第２蝶番１１は、図４に示すように、ドア枠６に固定される枠側ヒンジ部材２６と、下側の第１領域１３に固定される第１ドア側ヒンジ部材２７と、上側の第２領域１４に固定される第２ドア側ヒンジ部材２８とを有する構成とされる。
【００４３】
枠側ヒンジ部材２６は、ドア枠６のドア５に対向する面に固定されるドア枠側ヒンジプレート２９と、このドア枠側ヒンジプレート２９に保持され、鉛直方向上向きに固定されるヒンジピン３０とを有する。
【００４４】
第１ドア側ヒンジ部材２７は、第１領域１３の側方端面に固定される第１ドア側ヒンジプレート３１と、この第１ドア側ヒンジプレート３１に保持され、ヒンジピン３０が挿入される第１円筒部３２とを有する。
【００４５】
第２ドア側ヒンジ部材２８は、第２領域１４の側方端面に固定される第２ドア側ヒンジプレート３３と、この第２ドア側ヒンジプレート３３に保持され、ドア５の組立状態で第１円筒部３２の上側に第１円筒部３２と同心に配置され、ヒンジピン３０が挿入される第２円筒部３４とを有する。
【００４６】
つまり、第２蝶番１１は、ドア枠６に固定されるドア枠側ヒンジプレート２９と、隣接する前記領域１３，１４の一方に固定される第１ドア側ヒンジプレート３１と、隣接する前記領域１３，１４の他方に固定される第２ドア側ヒンジプレート３３とを供え、これら３つのヒンジプレート２９，３１，３３が１本のヒンジピン３０により連結され、このヒンジピン３０の周りに互いに独立して回転可能に構成される。換言すると、当該ドアパネル１において、ドア５は、ドア本体８の第１領域１３と第２領域１４とが１本のヒンジピン３０を共有する。これにより、ドア５をドア枠６に取り付けたときに、ドア本体８の第１領域１３と第２領域１４との一体性が高くなる。
【００４７】
また、第２蝶番１１は、ドア本体８の第１領域１３と第２領域１４とが圧接して接合構造１８の気密性を向上できるよう、ドア本体８の組立状態において第１ドア側ヒンジプレート３１と第２ドア側ヒンジプレート３３との間及び第１円筒部３２と第２円筒部３４との間にそれぞれ若干の隙間が形成されるようにするとよい。
【００４８】
〔利点〕
以上のように、当該ドア５は、ドア本体８の第１領域１３と第２領域１４とに分割して形成されるため、第１領域１３と第２領域１４とを別々に持ち運ぶことができるのでドアとして使用するために取り付けるまでの取り扱いが比較的容易である。
【００４９】
［第二実施形態］
図５に、本発明の図２とは異なる実施形態に係るドアパネル１ａを示す。図５のドアパネル１ａは、図２のドアパネル１に替えて図１の組立式防音室に用いることができるよう構成されている。従って、図５のドアパネル１ａについて、図２のドアパネル１と同じ構成要素には同じ符号を付して重複する説明を省略する。
【００５０】
〔ドアパネル〕
当該ドアパネル１ａは、ドア５ａと、このドア５ａが取り付けられるドア枠６と、このドア枠６が取り付けられる開口を有するパネル本体７とを備える。
【００５１】
（ドア）
ドア５ａは、それ自体が本発明の一つの実施形態である。当該ドア５ａは、長方形板状のドア本体８ａと、このドア本体８ａに取り付けられるドアレバーユニット９と、ドア枠６に取り付けるための第１蝶番１０、第２蝶番１１ａ及び第３蝶番１２とを備える。
【００５２】
ドア本体８ａは、平面視で下側の第１領域１３ａと上側の第２領域１４ａとに階段状の境界線に沿って分割して形成されている。また、ドア本体８ａは、第１領域１３ａ及び第２領域１４ａ間の接合構造１８ａを有する。
【００５３】
当該ドア５ａは、ドア本体８ａの第１領域１３ａと第２領域１４ａとの間を階段状に分割することで、第１領域１３ａと第２領域１４ａとの接続強度を向上し、組立後のドア本体８ａの一体性を向上することができる。
【００５４】
当該ドア５ａでは、ドアレバーユニット９が上側の第２領域の配設されている。逆に言うと、ドア本体８ａは、ドアレバーユニット９を配設するのに適した部分が上側の第２領域１４ａに含まれるよう分割して形成されている。
【００５５】
当該ドア５ａにおける接合構造１８ａは、下側の第１領域１３ａの上側の第２領域１４ａに対向する端面にさねを設け、上側の第２領域１４ａの下側の第１領域１３ａに対向する端面にねを受け入れるさね溝を設けた構造とすることができる。
【００５６】
接合構造１８ａは、第１領域１３ａと第２領域１４ａとの間を封止するパッキンをさらに有することが好ましい。
【００５７】
また、接合構造１８ａは、複数のダボを有してもよい。但し、第１領域１３ａと第２領域１４ａとの境界の水平部分と垂直部分との両方にダボを配設すると接合が不可能となるため、ダボは第１領域１３ａと第２領域１４ａとの境界の水平部分及び垂直部分のいずれか一方にのみ配設される。
【００５８】
本実施形態において第２蝶番１１ａとしては、第１蝶番１０及び第３蝶番１２と同様の一般的なドア用蝶番が用いられている。
【００５９】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６０】
当該ドアは、防音機能を有しないドアであってもよい。例として、当該ドアは、ウォークインタイプの冷蔵庫に用いられる断熱ドア等に適用することもできる。
【００６１】
当該ドアは、ドア枠を介さず蝶番により壁や柱に直接取り付けてもよい。また、当該ドアは、ドア本体の板面方向にスライド可能に配設されてもよい。
【００６２】
当該ドアは、ドア本体が３以上の領域に分割して形成されてもよい。また、当該ドアにおいてドア本体を構成する各領域の形状は、上述の実施形態の形状に限られず、例えば領域間の境界を平面視で曲線状にしてもよい。また、当該ドアは、ドア本体が平面視で左右方向に分割されてもよい。
【００６３】
当該ドアにおけるドア本体は、吸音材を有しないものであってもよく、骨材及び面板から形成される中空構造のものではなく、中実の板材から形成されるものであってもよい。また、当該ドアにおけるドア本体は、長方形板状のものに限られず、例えば上部が半円径のもの等、ドアとして使用できる限り任意の形状とすることができる。
【００６４】
当該ドアの接合構造は、実施形態の構成に限定されず、例えばさねがなくダボのみを有する構造であってもよく、隣接する領域の対向する端面の両方にさね溝を形成して帯状の部材を挿入する雇いざね構造であってもよい。また、上側の領域の端面にさねを設け、下側の領域の端面にさね溝を設けてもよい。また、隣接する領域間に跨がって、ダボよりも長さが大きく、領域間の板面の傾斜を防止する補強材を配設してもよい。
【００６５】
当該ドアにおいて、ドア本体の第１領域及び第２領域が蝶番を共有する場合、第１領域及び第２領域の一方に固定されるヒンジプレートにヒンジピンを配設し、このヒンジピンが第１領域及び第２領域の他方に固定されるヒンジプレートに保持される円筒部及びドア枠に固定されるヒンジプレートに保持される円筒部に挿入されてもよい。また、ドア本体の第１領域及び第２領域とドア枠とにそれぞれ固定されるヒンジプレートにそれぞれ円筒部を取り付け、これら３つの円筒部にヒンジピンを貫通させてもよい。
【００６６】
当該ドアは、ドアレバーユニットに替えて、ドア枠に係合するラッチ機構を操作できる他の任意の機構を備えてもよく、ドアの取り付け構造によっては、ドアレバーユニットに相当する構成を省略してもよい。
【００６７】
当該ドアパネルは、例えばドアクローザー等の他の構成要素をさらに備えてもよい。
【００６８】
当該ドアパネル又は当該組立式防音室において、第１領域と第２領域との接合構造の気密性を向上させるため、ドア本体の上下端面及びドア枠等のドア本体の上下端面に対向する部分の少なくともいずれかにテーパー面を設け、当該ドアの閉鎖によって前記テーパー面が対向面に当接してドア本体に第１領域と第２領域とを圧接する力を作用させるカムとして機能するようにしてもよい。
【００６９】
当該組立式防音室において、ドアパネル以外の遮音パネルをドアパネルと同様に分割して形成してもよい。
【００７０】
当該組立式防音室は、ドアパネルや遮音パネルの相互の接合構造を有することが好ましい。このパネル間の接合構造としては、例えばパネルの端部に隣接するパネルが嵌合する構造、防音室の骨格を形成し、各パネルの端部を保持するフレームを設ける構造等を採用することができる。
【００７１】
当該組立式防音室は、例えば照明設備、空調設備等の他の構成要素をさらに備えてもよい。
【産業上の利用可能性】
【００７２】
当該ドア及びドア、ドアパネル及び組立式防音室は、比較的小さい組立式防音室に特に好適に利用される。
【符号の説明】
【００７３】
１，１ａ  ドアパネル
２  壁遮音パネル
３  床遮音パネル
４  天井遮音パネル
５  ドア
６  ドア枠
７  パネル本体
８，８ａ  ドア本体
９  ドアレバーユニット
１０  第１蝶番
１１，１１ａ  第２蝶番
１２  第３蝶番
１３，１３ａ  第１領域
１４，１４ａ  第２領域
１５  骨材
１６  面板
１７  吸音材
１８，１８ａ  接合構造
１９  さね
２０  さね溝
２１  パッキン
２２  ダボ
２３  ダボ穴
２４  窓
２５  ガラス
２６  枠側ヒンジ部材
２７  第１ドア側ヒンジ部材
２８  第２ドア側ヒンジ部材
２９  ドア枠側ヒンジプレート
３０  ヒンジピン
３１  第１ドア側ヒンジプレート
３２  第１円筒部
３３  第２ドア側ヒンジプレート
３４  第２円筒部
【図１】
0006753141.tif 000002
【図２】
0006753141.tif 000003
【図３】
0006753141.tif 000004
【図４】
0006753141.tif 000005
【図５】
0006753141.tif 000006